(57)【要約】【課題】  土留めの際の据付けを強固なものとする擁壁用コンクリートブロック及び当該擁壁用コンクリートブロックの製造型枠を提供する。【解決手段】  擁壁用コンクリートブロック１は、壁部２と、壁部２の下部に連続する下り勾配の傾斜底板部３とを備え、傾斜底板部３の底面に凹凸部３ａ（図１では三角波形状）が形成されたものである。壁部２の背面に下り勾配の傾斜底板部３を連続させることで壁部２を強固に支える。また、傾斜底板部３の底面に凹凸部３ａが形成されることで、土留めの際、土とのかみ合わせが強固になるとともに、接触面積が大きくなる。【選択図】図１
2017133203.tif 000002
【特許請求の範囲】
【請求項１】
壁部と、
前記壁部の下部に連続する下り勾配の傾斜底板部と、を備え
前記傾斜底板部の底面に凹凸部が形成された
擁壁用コンクリートブロック。
【請求項２】
前記凹凸部の溝の深さが前記傾斜底板部の厚さの半分よりも浅い
請求項１に記載の擁壁用コンクリートブロック。
【請求項３】
前記傾斜底板部の先端部が前記壁部の底面部よりも低い位置に設けられている
請求項１又は請求項２に記載の擁壁用コンクリートブロック。
【請求項４】
前記壁部から前記傾斜底板部にかけて補強リブが形成されている
請求項１乃至請求項３の何れかに記載の擁壁用コンクリートブロック。
【請求項５】
前記壁部の両側面に嵌合凹部と嵌合凸部が形成されている
請求項１乃至請求項４の何れかに記載の擁壁用コンクリートブロック。
【請求項６】
壁部及び前記壁部に連続する傾斜底板部を有する擁壁用コンクリートブロックの製造に用いる擁壁用コンクリートブロック製造型枠であって、
成形基板と、
前記成形基板を載置する載置架台と、
内面に凹凸成形部が形成された傾斜底板成形板とを備え、
前記成形基板が前記載置架台に載置され、前記傾斜底板成形板が前記成形基板に取り付けられた状態で、前記擁壁用コンクリートブロックを成形するためのコンクリート打設空間が形成される
擁壁用コンクリートブロック製造型枠。
【請求項７】
前記載置架台から突出して接地する支持部を有する
請求項６に記載の擁壁用コンクリートブロック製造型枠。
【発明の詳細な説明】
【技術分野】
【０００１】
本発明は、擁壁用コンクリートブロック及び当該擁壁用コンクリートブロックの製造型枠に関する。
【先行技術文献】
【特許文献】
【０００２】
【特許文献１】特許第２８９６７６３号公報
【背景技術】
【０００３】
特許文献１には、宅地造成工事等に使用する土留め用コンクリートブロックを製造するための型枠として、加熱装置を設けたコンクリートブロック製造型枠の構造が記載されている。
このコンクリートブロック製造型枠によって形成されるコンクリートブロックは、壁部及び壁部に連続する傾斜底面部を有する擁壁用コンクリートブロックである。
【発明の概要】
【発明が解決しようとする課題】
【０００４】
ところで、宅地造成工事等の土留め工事において、上記のような擁壁用コンクリートブロックを使用して擁壁を構築すると、当該擁壁用コンクリートブロックの傾斜底面部における底面が土とうまくかみ合わず、据付けが安定しないおそれがあった。
そこで本発明は、土留めの際の据付けを強固なものとする擁壁用コンクリートブロック及び当該擁壁用コンクリートブロックの製造型枠の提供を目的とする。
【課題を解決するための手段】
【０００５】
本発明に係る擁壁用コンクリートブロックは、壁部と、前記壁部の下部に連続する下り勾配の傾斜底板部とを備え、前記傾斜底板部の底面に凹凸部が形成されたものである。
壁部の背面に下り勾配の傾斜底面部を連続させることで壁部を強固に支える。また、傾斜底板部の底面に凹凸部が形成されることで、土留めの際、土とのかみ合わせが強固になるとともに、接触面積が大きくなる。
【０００６】
上記した擁壁用コンクリートブロックは、前記凹凸部の溝の深さが前記傾斜底板部の厚さの半分よりも浅いものとすることが考えられる。
これにより、傾斜底板部の凹部が形成された部分にもコンクリートの一定の厚さが保たれる。
【０００７】
上記した擁壁用コンクリートブロックは、前記傾斜底板の先端部が前記壁部の底面部よりも低い位置に設けられていることが考えられる。
これにより、土留めの際、傾斜底板部の上面と盛り土の接触面積が増加する。またその際、傾斜底板部の底面に形成された凹凸部と土との接触面積も大きくなり、土と凹凸部のかみ合わせがより一層強固になる。
【０００８】
上記した擁壁用コンクリートブロックは、前記壁部から前記傾斜底板部にかけて補強リブが形成されていることが考えられる。
これにより、擁壁用コンクリートブロックの全体としての強度が増す。
【０００９】
上記した擁壁用コンクリートブロックは、前記壁部の両側面に嵌合凹部と嵌合凸部が形成されていることが考えられる。
擁壁用コンクリートブロックが並べられて設置される際に、隣り合う擁壁用コンクリートブロック同士で、嵌合凹部と嵌合凸部が嵌合する。
【００１０】
本発明に係る擁壁用コンクリートブロック製造型枠は、壁部及び前記壁部に連続する傾斜底板部を有する擁壁用コンクリートブロックの製造に用いる擁壁用コンクリートブロック製造型枠であって、成形基板と、前記成形基板を載置する載置架台と、内面に凹凸成形部が形成された傾斜底板成形板とを備え、前記成形基板が前記載置架台に載置され、前記傾斜底板成形板が前記成形基板に取り付けられた状態で、前記擁壁用コンクリートブロックを成形するためのコンクリート打設空間が形成されるものである。
これにより、擁壁用コンクリート打設空間にコンクリートを打設し、凝固させることで傾斜底板部の底面に凹凸部（図１では三角波状）が形成された擁壁用コンクリートブロックが成形される。
【００１１】
上記した擁壁用コンクリートブロック製造型枠は、前記載置架台から張り出して接地する支持部を有することが考えられる。
載置架台が支持部により支えられる。また、成形した擁壁用コンクリートブロックを取り出すために載置架台を回転させる際、載置架台が左右に倒れることを防止する。
【発明の効果】
【００１２】
本発明によれば、土留めの際、擁壁用コンクリートブロックと土とのかみ合わせが強固になることで、当該擁壁用コンクリートブロックの安定性が増し、滑動、傾倒、沈降等の現象を防止するすることができる。
【図面の簡単な説明】
【００１３】
【図１】実施の形態の擁壁用コンクリートブロックを前面側及び背面側から見た斜視図である。
【図２】実施の形態の複数の擁壁用コンクリートブロックが並べて配置された状態及び擁壁用コンクリートブロックが盛り土の土留めに使用されている様子を示した説明図である。
【図３】実施の形態の擁壁用コンクリートブロックの変形例である。
【図４】実施の形態の擁壁用コンクリートブロック製造型枠の斜視図である。
【図５】実施の形態の傾斜底板成形板と成形基板を載置架台から取り外した状態で示した擁壁用コンクリートブロック製造型枠の斜視図である。
【図６】実施の形態の成形基板の斜視図である。
【図７】実施の形態の傾斜底板成形板の斜視図である。
【図８】実施の形態の第２の実施例における擁壁用コンクリートブロック製造型枠の斜視図である。
【発明を実施するための形態】
【００１４】
本発明擁壁用コンクリートブロック及び擁壁用コンクリートブロック製造型枠を実施するための形態について添付図面を参照して説明する。
【００１５】
＜１．擁壁用コンクリートブロックの構成＞
まず、本発明擁壁用コンクリートブロックを実施するための形態について添付図面を参照して説明する。
本発明擁壁用コンクリートブロックは、主に宅地造成工事等の土留め工事において擁壁を構築するために用いられる。
【００１６】
以下の説明にあっては、擁壁用コンクリートブロック１の表面方向を前方として、図１に示すように、前後上下左右の方向を示すものとする。前後上下左右の方向性は、図２Ｂに示すような擁壁用コンクリートブロック１が設置される状態に基づくものである。但し、以下に示す前後上下左右の方向は説明の便宜上のものであり、本発明の実施に関しては、これらの方向に限定されることはない。
【００１７】
擁壁用コンクリートブロック１は、土留めをするため左右に並べて配置される。擁壁用コンクリートブロック１は、図１Ａ及び図１Ｂに示すように、前後方向を向く縦長の矩形の略平板状に形成された壁部２と、壁部２の背面の下部に連結されている傾斜底板部３と、壁部２の背面から傾斜底板部３の上面に跨がって肉厚に形成された補強リブ４とを有する。
【００１８】
壁部２は、両側面に嵌合凹部２ａと嵌合凸部２ｂがそれぞれ形成されている。嵌合凹部２ａと嵌合凸部２ｂは、図２Ａに示すように、擁壁用コンクリートブロック１が並べられて設置される際に、隣り合う擁壁用コンクリートブロック１同士で、嵌合凹部２ａと嵌合凸部２ｂが嵌合するように形成されている。
【００１９】
壁部２は、底面に近づくにつれて縮径する略テーパー状に形成されている。例えば、上面の一辺が１００ｃｍ、底面の一辺が９８ｃｍに形成されている。これにより、このような擁壁用コンクリートブロック１を並べて設置することによりアーチ機構が形成され、宅地造成工事等においてより強固な土台を形成することができる。
【００２０】
傾斜底板部３は、図２Ｂに示すように、壁部２に対して角度θをもって一体に形成されている。当該角度θは１０５度になるように形成されている。即ち、擁壁用コンクリートブロック１は、壁部２と傾斜底板部３が互いに支え合う構造となる。これにより、土留め前に擁壁用コンクリートブロック１を設置する際に安定性が増し、容易にその後の土留め等の施工を行うことができる。また施工後も安定した状態を保つことができる。
【００２１】
傾斜底板部３は、図１Ａに示すように、前縁の左右方向における幅Ｘが後縁の左右方向における幅Ｙよりも長い略台形状に形成されている。これは、複数の擁壁用コンクリートブロック１を並べる際に、多少傾斜が異なっても問題ないようにするためである。
【００２２】
傾斜底板３の底面には、側面からみて三角波状の複数の凹凸部３ａが所定のピッチで形成されている。凹凸部３ａは、図２Ｂに示すように、凹凸によりできる溝の深さｈが傾斜底板部３の厚さＨの半分よりも浅いものとなるように形成されている。
傾斜底板３の先端部は、図２Ｂに示すように、擁壁用コンクリートブロック１を設置する際に壁部２の底面よりも下部に位置するように形成されている。これにより、土留めの際に傾斜底板部３の上面と盛り土の接触面積を増加させ、土と凹凸部のかみ合わせがより一層強固になる。
なお、凹凸部３ａにおける所定のピッチは、図１Ａ、図１Ｂに示すように均等なピッチで凹凸が形成されているが、凹凸が確認できれば凹凸の幅は均等であるものに限られず、不規則であってもよい。
【００２３】
補強リブ４は、図１Ｂ、図２Ａに示すように、所定部位には２つのテーパー孔４ａ、４ｂを有する。テーパー孔４ａ、４ｂは、複数の擁壁用コンクリートブロック１が並べられた際に、図２Ａに示すように、連結棒９０を挿入して隣合う擁壁用コンクリートブロック１同士を連結するために用いられる。
【００２４】
擁壁用コンクリートブロック１の施工にあたっては、図２Ｂに示すように、壁部２の底面が地面１００に形成された基礎８０に接するように壁部２を設置する。基礎８０は、擁壁用コンクリートブロック１を配置するため、土壌にコンクリートを打ち込むこと等により形成されるものである。そして図２Ａに示すように、同様に複数の擁壁用コンクリートブロック１を並べて配置する。
このように配置した擁壁用コンクリートブロック１に対して、傾斜底板３の上面に盛り土１０１が置かれることで土留めがなされる。このとき、盛り土１０１の重さで凹凸部３ａと地面１００の土とがかみ合わされる。
【００２５】
以上の実施の形態では、次のような効果が得られる。実施の形態の擁壁用コンクリートブロック１は、図１Ａ、図１Ｂに示したような構成を採る。
【００２６】
上記した擁壁用コンクリートブロック１は、壁部２と、壁部２の下部に連続する下り勾配の傾斜底板部３とを備え、傾斜底板部３の底面に凹凸部３ａ（図１では三角波状）が形成されたものである。
壁部２の背面に下り勾配の傾斜底板部３を連続させることで壁部２を強固に支える。また、傾斜底板部３の底面に凹凸部３ａが形成されることで、土留めの際、土とのかみ合わせが強固になるとともに、接触面積が大きくなる。
従って、擁壁用コンクリートブロック１の強度の向上を図ることができる。また、土とのかみ合わせが強固になることで、擁壁用コンクリートブロック１の安定性が増し、滑動、傾倒、沈降等の現象を防止するすることができる。これにより、施工時の擁壁用コンクリートブロック１の滑動や傾倒等による事故を未然に防止し安全な施工作業が可能となる。また、施工後も災害が起きたときに生じかねない二次災害や、老朽化による思わぬ事故等を防止することも可能となる。
【００２７】
また擁壁用コンクリートブロック１は、凹凸部３ａの溝の深さが傾斜底板部３の厚さの半分よりも浅いものとする。
これにより、傾斜底板部３の凹部が形成された部分にもコンクリートの一定の厚さが保たれる。即ち、傾斜底板部３の強度を確保することができる。
従って、傾斜底板部３自体の強度を維持しつつ、凹凸部３ａと土とのかみ合わせを強固にすることで、擁壁用コンクリートブロック１の強度の一層の向上を図ることができる。
【００２８】
また擁壁用コンクリートブロック１は、傾斜底板部３の先端部が壁部２の底面部よりも低い位置に設けられている。
これにより、土留めの際、傾斜底板部３の上面と盛り土の接触面積が増加する。またその際、傾斜底板部３の底面に形成された凹凸部３ａと土との接触面積も大きくなり、土と凹凸部３ａのかみ合わせがより一層強固になる。
従って、擁壁用コンクリートブロック１の強度のより一層の向上を図ることができ、擁壁用コンクリートブロック１をより安定して設置することができる。
【００２９】
また擁壁用コンクリートブロック１は、壁部２から傾斜底板部３にかけて補強リブ４が形成されている。
これにより、擁壁用コンクリートブロック１の全体としての強度を向上させることができる。
【００３０】
また擁壁用コンクリートブロック１は、壁部２の両側面に嵌合凹部２ａと嵌合凸部２ｂが形成されている。
擁壁用コンクリートブロック１が並べられて設置される際に、隣り合う擁壁用コンクリートブロック１同士で、嵌合凹部２ａと嵌合凸部２ｂが嵌合する。
従って、並べられた複数の擁壁用コンクリートブロック１間の連結が強固なものとなり、設置された擁壁用コンクリートブロック全体としての安定性を向上させることができる。
【００３１】
本実施の形態における擁壁用コンクリートブロック１の凹凸部３ａの形状は、図１Ａ、図２Ｂに示すように、側面からみて三角波状に形成されているが、凹凸部３ａは、必ずしも三角波状である必要はなく、図３Ａに示すように、側面からみて凹部が円弧状に形成されていてもよいし、図３Ｂに示すように、側面からみた凹凸が矩形波状に形成されていてもよい。
【００３２】
＜２．擁壁用コンクリートブロック製造型枠の構造＞
次に、上記のような擁壁用コンクリートブロック１の製造に用いるコンクリートブロック製造型枠１０（擁壁用コンクリートブロック製造型枠）の構造について添付図面を参照して説明する。
コンクリートブロック製造型枠１０は、図４に示すように、成形基板２０と、傾斜底板成形板３０と、載置架台４０とを有する。
【００３３】
成形基板２０は、図４乃至図６に示すように、擁壁成形基部２１、天端部２２、傾斜底板成形基部２３、傾斜底板成形枠部２４、補強リブ型枠部２５、テーパーピン２６ａ、２６ｂ、接合フック２７を有する。成形基板２０は、例えば鉄板で形成される。
【００３４】
擁壁成形基部２１は、擁壁用コンクリートブロック１の壁部２の背面（補強リブ４の形成側）を成形する面とされる。
天端部２２は、壁部２の上面（図２Ｂの設置状態で上端となる面）を成形する面とされる。
【００３５】
傾斜底板成形基部２３は、擁壁用コンクリートブロック１の傾斜底板３の上面（補強リブ４の形成側）を成形する面とされる。
傾斜底板成形基部２３の周囲三方には、傾斜底板成形枠部２４が形成されており、これにより傾斜底板３の両側面及び端面が成形される。
【００３６】
壁部成形基部２１から傾斜底板成形基部２３にかけて補強リブ型枠部２５が形成されている。
補強リブ型枠部２５は、上述の擁壁用コンクリートブロック１における補強リブ４を成形する空間を形成している。補強リブ型枠部２５内には、テーパーピン２６ａ、２６ｂが取り付けられている。テーパーピン２６ａ、２６ｂによって補強リブ４に図１Ｂのようなテーパー孔４ａ、４ｂが形成される。
接合フック２７は、傾斜底板成形基部２３の両側面の傾斜底板成形枠部２４にそれぞれ形成されている。接合フック２７の詳細については後述する。
【００３７】
成形基板２０は、図４に示すように、載置架台４０の上面に載置される。なお、本実施の形態においては成形基板２０は、載置架台４０から着脱可能に載置されているが、成形基板２０は、載置架台４０と一体として形成されていてもよい。
【００３８】
載置架台４０は、図４及び図５に示すように、支持架４１が箱状に組み付けられて形成されている。なお、支持架４１による骨組みの形態は図示のものに限られない。また骨組みに代えて周囲を板状部材で覆うように形成してもよい。
【００３９】
載置架台４０の上部両側には、側壁部４２、４３が設けられている。
側壁部４２、４３のそれぞれは、載置架台４０の骨組みを形成している断面Ｌ字状の渡し部材４４、４４に対して、蝶番４５で取り付けられており、図４のように側壁を形成する状態と、図５のように水平に開いた状態とで開閉可能とされている。このように開閉可能とすることで、嵌合凹部２ａ及び嵌合凸部２ｂを有する擁壁用コンクリートブロック１をコンクリートブロック製造型枠１０から取り出すことができるようにしたものである。
【００４０】
側壁部４２、４３は、擁壁用コンクリートブロック１の壁部２の両側面を成形する面となる。上述のように壁部２の両側面には嵌合凹部２ａと嵌合凸部２ｂが形成されている。嵌合凹部２ａを形成するために、側壁部４２には、凸部４２ａが形成されている。嵌合凸部２ｂを形成するために、側壁部４３には凹部４３ａが形成されている。
【００４１】
図４に示すように、載置架台４０上に成形基板２０が載置され、側壁部４２、４３が閉じられていることで、擁壁用コンクリートブロック１の壁部２を成形する空間が形成されることになる。
【００４２】
載置架台４０の上部には、成形基板２０の天端部２２と当接して、成形基板２０の載置位置を規定する天端止め部４６が形成されている。
天端止め部４６から一段下がった位置に、成形基板２０を載置するための基板載置部４７が形成されている。
【００４３】
図４は載置架台４０上に成形基板２０が載置され、さらに傾斜底板成形板３０とが取り付けられた状態を示している。
傾斜底板成形板３０は、図５、図７に示すように、傾斜底板成形面部３１と、擁壁用コンクリートブロック１の底面部を成形する壁基部成形面部３２と、ピン３３とを有する。
【００４４】
傾斜底板成形板３０の傾斜底板成形面部３１には、内面に凹凸成形部３１ａが形成されている。凹凸成形部３１ａは、傾斜底板部３の凹凸部３ａを形成するためのものである。
凹凸成形部３１ａには、複数の凹凸部３ａ（図６では三角波状）が所定のピッチで形成されている。傾斜底板成形板３０は、凹凸成形部３１ａが、成形基板２０の傾斜底板成形基部２３に対面するように取り付けられる。
なお、ここでは、図１Ａに示した凹凸部３ａの三角波状の形状が形成されるように凹凸成形部３１ａが形成されているが、凹凸成形部３１ａはこのような形状に限られることはなく、成形される擁壁用コンクリートブロック１の凹凸部３ａの形状に応じた形状であればよい。例えば、図３Ａに示すように、凹凸部３ａの凹部が円弧状に形成されている場合は、凹凸成形部３１ａは凸部が円弧状に形成される。また図３Ｂに示すように、凹凸部３ａが矩形波状に形成されている場合は、凹凸成形部３１ａは矩形波状に形成される。
【００４５】
ピン３３は、傾斜底板成形板３０の両側面にそれぞれ形成されている。ピン３３が、成形基板２０の接合フック２７で係止されることで、傾斜底板成形部３０が成形基板２０に固定される。
【００４６】
傾斜底板成形板３０が成形基板２０に固定された状態で、図４に示した傾斜底板成形基部２３、傾斜底板成形枠部２４と、傾斜底板成形面部３１の凹凸成形部３１ａによって、擁壁用コンクリートブロック１の傾斜底板３を成形する空間が形成される。
【００４７】
以上の説明からわかるように、本実施の形態のコンクリートブロック製造型枠は、図４のように載置架台４０に成形基板２０が載置され、成形基板２０に傾斜底板成形板３０が取り付けられることで、その内面側がコンクリート打設空間となる。このコンクリートブロック製造型枠にコンクリート２００を打設し、その後凝固させたコンクリート２００をコンクリートブロック製造型枠から取り出すことで、図１に示した形状の擁壁用コンクリートブロック１が成形される。
【００４８】
次に、図８で擁壁用コンクリートブロック製造型枠の第２の実施例について説明する。図８において図４と同様の構成については、同一符号を付し、説明を省略する。
本実施例において、コンクリートブロック製造型枠１０は、上記した構成に加えて、四角柱状に形成された支持部５０、５０を有する。
【００４９】
載置架台４０は、傾斜底板成形板３０の方向における下端部に設けられた左右に伸びる収納部４８を有する。収納部４８は、角パイプ状に形成され、両端に支持部５０、５０が挿入可能とされている。
支持部５０、５０は、収納部４８の左右両端に挿入され、図示のように、矢印の方向に引き出して接地することができるようにそれぞれ取り付けられている。
【００５０】
支持部５０を左右に突出させて接地させることで、載置架台４０の安定性を向上させ転倒等を防止することができる。また、コンクリートブロック製造型枠１０から擁壁用コンクリートブロック１を取り出すとき、収納部４８を軸として載置架台４０を回転させることで擁壁用コンクリートブロック１を取り出すことになるが、この場合に、左右に支持部５０、５０を突出させておくことで、取り出すときの載置架台４０の左右への転倒等の事故を未然に防ぐことができる。
【００５１】
なお、本実施の形態では、載置架台４０の傾斜底板成形板３０の方向における下端部に設けられた収納部４８の左右両端にそれぞれ支持部５０を取り付けたが、収納部４８は必ずしも載置架台４０の傾斜底板成形板３０の方向における下端部に設ける必要はなく、反対方向の下端部でもよいし、中央下部でもよく、それぞれに設けられていてもよい。また、必ずしも両端に設ける必要はなく支持部５０が必要な部分に適宜設けることとしてもよい。
【００５２】
以上の実施の形態では、次のような効果が得られる。実施の形態の擁壁用コンクリートブロック製造型枠（コンクリートブロック製造型枠１０）は、図４乃至図８に示したような構成を採る。
【００５３】
本発明に係る擁壁用コンクリートブロック製造型枠（コンクリートブロック製造型枠１０）は、壁部２及び壁部２に連続する傾斜底板部３を有する擁壁用コンクリートブロック１の製造に用いる擁壁用コンクリートブロック製造型枠（コンクリートブロック製造型枠１０）であって、成形基板２０と、成形基板２０を載置する載置架台４０と、内面に凹凸成形部３１ａが形成された傾斜底板成形板３０とを備え、成形基板２０が載置架台４０に載置され、傾斜底板成形板３０が成形基板２０に取り付けられた状態で、擁壁用コンクリートブロック（コンクリートブロック製造型枠１０）を成形するためのコンクリート打設空間が形成されるものである。
これにより、擁壁用コンクリート打設空間にコンクリート２００を打設し、凝固させることで傾斜底板部３の底面に凹凸部３ａ（図１では三角波形状）が形成された擁壁用コンクリートブロック１が成形される。
従って、上記のような効果を奏する擁壁用コンクリートブロック１を成形することができる。
【００５４】
また擁壁用コンクリートブロック製造型枠（コンクリートブロック製造型枠１０）は、載置架台４０から張り出して接地する支持部５０を有することが考えられる。
載置架台４０が支持部５０により支えられることで、載置架台４０を安定して設置することができる。また、成形した擁壁用コンクリートブロック１を取り出すために載置架台４０を回転させる際、載置架台４０が左右に倒れることを防止する。
これにより、載置架台４０の安定性を向上させるとともに、コンクリートブロック製造型枠１０から擁壁用コンクリートブロック１を取り出すとき等に転倒等の事故を未然に防ぐことができる。
【００５５】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることはもちろんである。
【符号の説明】
【００５６】
１…擁壁用コンクリートブロック、２…壁部、３…傾斜底板部、３ａ…凹凸部、４…補強リブ、１０…コンクリートブロック製造型枠、２０…成形基板、３０…傾斜底板成形板、３１ａ…凹凸成形部、４０…載置架台、５０…支持部
【図１】
2017133203.tif 000003
【図２】
2017133203.tif 000004
【図３】
2017133203.tif 000005
【図４】
2017133203.tif 000006
【図５】
2017133203.tif 000007
【図６】
2017133203.tif 000008
【図７】
2017133203.tif 000009
【図８】
2017133203.tif 000010
【手続補正書】
【提出日】平成29年5月29日(2017.5.29)
【手続補正１】
【補正対象書類名】特許請求の範囲
【補正対象項目名】全文
【補正方法】変更
【補正の内容】
【特許請求の範囲】
【請求項１】
壁部と、
前記壁部の下端から所定長さだけ上方位置から延長された下り勾配の傾斜底板部と、
を備え、
前記傾斜底板部の底面に凹凸部が形成されており、
前記傾斜底板部の先端部が前記壁部の底面部よりも低い位置に設けられており、
前記傾斜底板部の前記先端部側の前記凹凸部は設置時に地面に埋まり、
前記傾斜底板部の前記壁部側の前記凹凸部は設置時に前記地面より上方に位置するように構成されたことを特徴とする擁壁用コンクリートブロック。
【請求項２】
前記凹凸部の溝の深さが前記傾斜底板部の厚さの半分よりも浅いことを特徴とする請求項１に記載の擁壁用コンクリートブロック。
【請求項３】
前記壁部から前記傾斜底板部にかけて補強リブが形成されていることを特徴とする請求項１又は請求項２に記載の擁壁用コンクリートブロック。
【請求項４】
前記壁部の両側面に嵌合凹部と嵌合凸部が形成されていることを特徴とする請求項１乃至請求項３の何れかに記載の擁壁用コンクリートブロック。
【請求項５】
壁部及び前記壁部の下端から所定長さだけ上方位置から延長された傾斜底板部を有する擁壁用コンクリートブロックの製造に用いる擁壁用コンクリートブロック製造型枠であって、
成形基板と、
前記成形基板を載置する載置架台と、
内面に凹凸成形部が形成された傾斜底板成形板と、
前記載置架台から突出して接地する支持部とを備え、
前記成形基板が前記載置架台に載置され、前記傾斜底板成形板が前記成形基板に取り付けられた状態で、前記擁壁用コンクリートブロックを成形するためのコンクリート打設空間が形成されることを特徴とする擁壁用コンクリートブロック製造型枠。
【手続補正２】
【補正対象書類名】明細書
【補正対象項目名】０００５
【補正方法】変更
【補正の内容】
【０００５】
本発明に係る擁壁用コンクリートブロックは、壁部と、前記壁部の下端から所定長さだけ上方位置から延長された下り勾配の傾斜底板部とを備え、前記傾斜底板部の底面に凹凸部が形成されており、前記傾斜底板部の先端部が前記壁部の底面部よりも低い位置に設けられており、前記傾斜底板部の前記先端部側の前記凹凸部は設置時に地面に埋まり、前記傾斜底板部の前記壁部側の前記凹凸部は設置時に前記地面より上方に位置するように構成されたものである。
壁部の背面に下り勾配の傾斜底面部を延長させることで壁部を強固に支える。また、傾斜底板部の底面に凹凸部が形成されることで、土留めの際、土とのかみ合わせが強固になるとともに、接触面積が大きくなる。
【手続補正３】
【補正対象書類名】明細書
【補正対象項目名】００１０
【補正方法】変更
【補正の内容】
【００１０】
本発明に係る擁壁用コンクリートブロック製造型枠は、壁部及び前記壁部の下端から所定長さだけ上方位置から延長された傾斜底板部を有する擁壁用コンクリートブロックの製造に用いる擁壁用コンクリートブロック製造型枠であって、成形基板と、前記成形基板を載置する載置架台と、内面に凹凸成形部が形成された傾斜底板成形板とを備え、前記成形基板が前記載置架台に載置され、前記傾斜底板成形板が前記成形基板に取り付けられた状態で、前記擁壁用コンクリートブロックを成形するためのコンクリート打設空間が形成されるものである。
これにより、擁壁用コンクリート打設空間にコンクリートを打設し、凝固させることで傾斜底板部の底面に凹凸部（図１では三角波状）が形成された擁壁用コンクリートブロックが成形される。